(57)【特許請求の範囲】
【請求項１】
軸組工法による既存の木造の建物の壁を、建物の屋内での作業により筋かいによって耐震改修すると共に、断熱材を配置して形成される耐震補強壁の施工方法であって、
天井材よりも下方の部分の壁の表面側の壁面材及び壁下地材を撤去して、天井懐部分を残したまま施工されるようになっており、
前記筋かいは、左右一対の柱材と上下一対の横架材とによって囲まれる、奥行きが１０５ｍｍ、１２０ｍｍ、１３５ｍｍ、又は１５０ｍｍの矩形枠の内側領域に、一方の柱材と共にＫ字形状を形成するように取り付けられる、厚さが２４ｍｍ、又は２８ｍｍの合板からなる上部筋かい及び下部筋かいの２部材によって構成されており、
前記上部筋かいは、上端部が、上部接合金物を介して他方の柱材と上部横架材との接合角部の内側部分に接合されると共に、下端部が、中間部接合金物を介して前記一方の柱材の中間部の内側部分に接合されて、前記矩形枠の内側領域に取り付けられるようになっており、
前記下部筋かいは、下端部が、下部接合金物を介して他方の柱材と下部横架材との接合角部の内側部分に接合されると共に、上端部が、前記中間部接合金物を介して前記一方の柱材の中間部の内側部分に接合されて、前記矩形枠の内側領域に取り付けられるようになっており、 前記上部接合金物、前記中間部接合金物、及び下部接合金物は、各々、前記矩形枠に接合される、複数のビス打込み孔を備える矩形枠側密着プレート部と、該矩形枠側密着プレート部から垂直に折れ曲がって設けられた、複数のビス打込み孔を備える筋かい側密着プレート部とからなる、Ｌ字断面形状部分を有しており、
前記上部接合金物を、前記筋かい側密着プレート部を前記上部筋かいの表面側に密着させて配置した状態で、前記上部筋かいの上端部に取り付け、前記上部筋かいの前記上部接合金物が取り付けられた上端部を天井懐部に差し込んで、当該上端部を、前記上部接合金物を介して前記他方の柱材と前記上部横架材との接合角部の内側部分に位置決めすると共に、下端部を、前記一方の柱材の中間部の内側部分に位置決めして、前記上部接合金物の前記上部筋かいから裏側に食み出した部分の前記矩形枠側密着プレート部に形成された複数のビス打込み孔に、固定ビスを打込むことによって、前記上部筋かいを前記矩形枠の内側領域において前記壁の表面側に片寄せて設置する上部筋かい設置工程と、
前記下部接合金物を、前記筋かい側密着プレート部を前記下部筋かいの表面側に密着させて配置した状態で、前記下部筋かいの下端部に取り付け、前記下部筋かいの前記下部接合金物が取り付けられた下端部を、前記下部接合金物を介して前記他方の柱材と前記下部横架材との接合角部の内側部分に位置決めすると共に、上端部を、前記一方の柱材の中間部の内側部分に位置決めして、前記下部接合金物の前記下部筋かいから裏側に食み出した部分の前記矩形枠側密着プレート部に形成された複数のビス打込み孔に、固定ビスを打込むことによって、前記下部筋かいを前記矩形枠の内側領域において前記壁の表面側に片寄せて設置する下部筋かい設置工程と、
前記上部筋かいの下端部及び前記下部筋かいの上端部が位置決めされた、前記一方の柱材の中間部の内側部分に、前記中間部接合金物を、前記壁の表面側から、前記矩形枠側密着プレート部を前記一方の柱材の内側面に沿って差し込んで密着させると共に、前記筋かい側密着プレート部を前記上部筋かいの下端部及び前記下部筋かいの上端部の表面側に密着させた状態で配置し、配置した前記中間部接合金物の、前記上部筋かい及び前記下部筋かいから裏側に食み出した部分の前記矩形枠側密着プレート部に形成された複数のビス打込み孔に、固定ビスを打込むと共に、前記筋かい側密着プレート部に形成された複数のビス打込み孔に、固定ビスを打込むことによって、前記中間部接合金物を介して、前記上部筋かいの下端部及び前記下部筋かいの上端部を、前記一方の柱材の中間部の内側部分に接合する中間部接合工程と、
設置された前記上部筋かい及び前記下部筋かいと、前記壁の裏面側の壁下地材との間の部分に、前記断熱材を差し込んで設置する断熱材設置工程と、
前記壁面材及び壁下地材が撤去された前記壁の表面側を覆って、前記矩形枠に壁下地材を取り付ける壁下地材設置工程とを含む耐震補強壁の施工方法。
【請求項２】
前記断熱材設置工程に先立って、前記壁の裏面側に残された壁下地材の表面側の面に、前記断熱材の裏側に通気層を確保するためのスペーサ部材を取り付けるスペーサ取付け工程を含む請求項１記載の耐震補強壁の施工方法。
【請求項３】
前記矩形枠の内側領域の中間部分に間柱が設けられている場合に、前記上部筋かい及び前記下部筋かいと交差する部分の前記間柱の表面側を切り欠き、前記上部筋かい設置工程及び前記下部筋かい設置工程において、前記上部筋かい及び前記下部筋かいを、前記間柱と交差する部分を切り欠いた部分に重ねて配置して、前記矩形枠の内側領域において前記壁の表面側に片寄せて設置する請求項１又は２記載の耐震補強壁の施工方法。
【請求項４】
前記筋かいを構成する前記上部筋かい及び前記下部筋かいは、１０５〜３０５ｍｍの幅を有する帯板形状の合板からなる請求項１〜３のいずれか１項載の耐震補強壁の施工方法。
【発明の詳細な説明】
【技術分野】
【０００１】
本発明は、耐震補強壁の施工方法に関し、特に、軸組工法による既存の木造の建物の壁を、建物の屋内での作業により筋かいによって耐震改修すると共に、断熱材を配置して形成される耐震補強壁の施工方法に関する。
【背景技術】
【０００２】
わが国では、東日本大震災や阪神淡路大震災等の大規模な地震が頻発しており、今後も、例えば東海地震、東南海地震、南海地震等の大規模な地震の発生が予測されることから、特に都市部における木造の建物に対して、耐震改修を行うことが要望されている。また、阪神淡路大震災を受けて、平成１０年度に、木造の軸組工法による建物に関して、大規模な地震にも耐え得るように新たな耐震基準が導入され、その後に建築された一般の戸建て住宅等の木造の建物については、一定の耐震性能が確保されているが、それ以前に建築された木造の軸組工法による既存の建物については、新規に導入された耐震基準を満たすものではないことから、耐震改修する必要性に迫られている。
【０００３】
一方、軸組工法による既存の木造の建物の壁を耐震改修する方法として、筋かいを用いたものが種々提案されている（例えば、特許文献１、特許文献２参照）。また、筋かいによって補強された壁構造として、筋かいを上部筋かい及び下部筋かいの２部材によって構成し、左右一対の柱材と上下一対の横架材とによって囲まれる矩形枠の内側領域に、接合金物を介して、上部筋かい及び下部筋かいを、一方の柱材と共にＫ字形状を形成するように取リ付けた壁構造が開示されている（例えば、特許文献３参照）。
【先行技術文献】
【特許文献】
【０００４】
【特許文献１】特開２００５−２４０４１１号公報
【特許文献２】特開２０１３−２１７１１８号公報
【特許文献３】特開２０１０−５３６６２号公報
【発明の概要】
【発明が解決しようとする課題】
【０００５】
しかしながら、平成１０年度以前に建築された木造の軸組工法による既存の建物は、壁の骨組み構造を構成する、矩形枠の左右一対の柱材と上下一対の横架材が、一般に１０５ｍｍ、１２０ｍｍ、１３５ｍｍ、又は１５０ｍｍの幅の角材を用いて形成されていて、矩形枠は、一般に１０５ｍｍ、１２０ｍｍ、１３５ｍｍ、又は１５０ｍｍの狭い奥行きしか有しておらず、また矩形枠の上部は、天井材の上方に形成された天井懐部に配置されていることから、既存の建物の壁を筋かいによって補強しようとすると、壁の壁面材や壁下地材の他、天井材をも撤去する必要を生じて、大掛かりで手間のかかる作業を要することになると共に、施工コストが増大することになる。
【０００６】
本発明は、天井材を残置したまま、簡易な作業によって、１０５ｍｍ、１２０ｍｍ、１３５ｍｍ、又は１５０ｍｍの幅の角材を用いて形成された矩形枠の内側領域に、筋かいを取り付けることを可能にして、木造の軸組工法による既存の建物の壁を、効果的に耐震改修することのできる耐震補強壁の施工方法を提供することを目的とする。
【課題を解決するための手段】
【０００７】
本発明は、軸組工法による既存の木造の建物の壁を、建物の屋内での作業により筋かいによって耐震改修すると共に、断熱材を配置して形成される耐震補強壁の施工方法であって、天井材よりも下方の部分の壁の表面側の壁面材及び壁下地材を撤去して、天井懐部分を残したまま施工されるようになっており、前記筋かいは、左右一対の柱材と上下一対の横架材とによって囲まれる、奥行きが１０５ｍｍ、１２０ｍｍ、１３５ｍｍ、又は１５０ｍｍの矩形枠の内側領域に、一方の柱材と共にＫ字形状を形成するように取り付けられる、厚さが２４ｍｍ、又は２８ｍｍの合板からなる上部筋かい及び下部筋かいの２部材によって構成されており、前記上部筋かいは、上端部が、上部接合金物を介して他方の柱材と上部横架材との接合角部の内側部分に接合されると共に、下端部が、中間部接合金物を介して前記一方の柱材の中間部の内側部分に接合されて、前記矩形枠の内側領域に取り付けられるようになっており、前記下部筋かいは、下端部が、下部接合金物を介して他方の柱材と下部横架材との接合角部の内側部分に接合されると共に、上端部が、前記中間部接合金物を介して前記一方の柱材の中間部の内側部分に接合されて、前記矩形枠の内側領域に取り付けられるようになっており、前記上部接合金物、前記中間部接合金物、及び下部接合金物は、各々、前記矩形枠に接合される、複数のビス打込み孔を備える矩形枠側密着プレート部と、該矩形枠側密着プレート部から垂直に折れ曲がって設けられた、複数のビス打込み孔を備える筋かい側密着プレート部とからなる、Ｌ字断面形状部分を有しており、前記上部接合金物を、前記筋かい側密着プレート部を前記上部筋かいの表面側に密着させて配置した状態で、前記上部筋かいの上端部に取り付け、前記上部筋かいの前記上部接合金物が取り付けられた上端部を天井懐部に差し込んで、当該上端部を、前記上部接合金物を介して前記他方の柱材と前記上部横架材との接合角部の内側部分に位置決めすると共に、下端部を、前記一方の柱材の中間部の内側部分に位置決めして、前記上部接合金物の前記上部筋かいから裏側に食み出した部分の前記矩形枠側密着プレート部に形成された複数のビス打込み孔に、固定ビスを打込むことによって、前記上部筋かいを前記矩形枠の内側領域において前記壁の表面側に片寄せて設置する上部筋かい設置工程と、前記下部接合金物を、前記筋かい側密着プレート部を前記下部筋かいの表面側に密着させて配置した状態で、前記下部筋かいの下端部に取り付け、前記下部筋かいの前記下部接合金物が取り付けられた下端部を、前記下部接合金物を介して前記他方の柱材と前記下部横架材との接合角部の内側部分に位置決めすると共に、上端部を、前記一方の柱材の中間部の内側部分に位置決めして、前記下部接合金物の前記下部筋かいから裏側に食み出した部分の前記矩形枠側密着プレート部に形成された複数のビス打込み孔に、固定ビスを打込むことによって、前記下部筋かいを前記矩形枠の内側領域において前記壁の表面側に片寄せて設置する下部筋かい設置工程と、前記上部筋かいの下端部及び前記下部筋かいの上端部が位置決めされた、前記一方の柱材の中間部の内側部分に、前記中間部接合金物を、前記壁の表面側から、前記矩形枠側密着プレート部を前記一方の柱材の内側面に沿って差し込んで密着させると共に、前記筋かい側密着プレート部を前記上部筋かいの下端部及び前記下部筋かいの上端部の表面側に密着させた状態で配置し、配置した前記中間部接合金物の、前記上部筋かい及び前記下部筋かいから裏側に食み出した部分の前記矩形枠側密着プレート部に形成された複数のビス打込み孔に、固定ビスを打込むと共に、前記筋かい側密着プレート部に形成された複数のビス打込み孔に、固定ビスを打込むことによって、前記中間部接合金物を介して、前記上部筋かいの下端部及び前記下部筋かいの上端部を、前記一方の柱材の中間部の内側部分に接合する中間部接合工程と、設置された前記上部筋かい及び前記下部筋かいと、前記壁の裏面側の壁下地材との間の部分に、前記断熱材を差し込んで設置する断熱材設置工程と、前記壁面材及び壁下地材が撤去された前記壁の表面側を覆って、前記矩形枠に壁下地材を取り付ける壁下地材設置工程とを含む耐震補強壁の施工方法を提供することにより、上記目的を達成したものである。
【０００８】
そして、本発明の耐震補強壁の施工方法は、前記断熱材設置工程に先立って、前記壁の裏面側に残された壁下地材の表面側の面に、前記断熱材の裏側に通気層を確保するためのスペーサ部材を取り付けるスペーサ取付け工程を含んでいることが好ましい。
【０００９】
また、本発明の耐震補強壁の施工方法は、前記矩形枠の内側領域の中間部分に間柱が設けられている場合に、前記上部筋かい及び前記下部筋かいと交差する部分の前記間柱の表面側を切り欠き、前記上部筋かい設置工程及び前記下部筋かい設置工程において、前記上部筋かい及び前記下部筋かいを、前記間柱と交差する部分を切り欠いた部分に重ねて配置して、前記矩形枠の内側領域において前記壁の表面側に片寄せて設置するようにすることが好ましい。
【００１０】
また、本発明の耐震補強壁の施工方法は、前記筋かいを構成する前記上部筋かい及び前記下部筋かいが、１０５〜３０５ｍｍの幅を有する帯板形状の合板からなっていることが好ましい。
【発明の効果】
【００１１】
本発明の耐震補強壁の施工方法によれば、天井材を残置したまま、簡易な作業によって、１０５ｍｍ、１２０ｍｍ、１３５ｍｍ、又は１５０ｍｍの幅の角材を用いて形成された矩形枠の内側領域に、筋かいを取り付けることを可能にして、木造の軸組工法による既存の建物の壁を、効果的に耐震改修することができる。
【図面の簡単な説明】
【００１２】
【図１】本発明の好ましい一実施形態に係る施工方法によって形成される耐震補強壁の構成を説明する略示正面図である。
【図２】本発明の好ましい一実施形態に係る施工方法によって形成される耐震補強壁の構成を説明する、図１のＡ−Ａに沿った略示縦断面図である。
【図３】本発明の好ましい一実施形態に係る施工方法によって形成される耐震補強壁の構成を説明する、図１のＢ−Ｂに沿った略示部分横縦断面図である。
【図４】（ａ）〜（ｄ）は、本発明の好ましい一実施形態に係る耐震補強壁の施工方法を説明する略示正面図である。
【図５】（ａ）は上部筋かいの正面図、（ｂ）は下部筋かいの正面図である。
【図６】上部接合金物又は下部接合金物を説明する、（ａ）は正面図、（ｂ）は（ａ）の左側面図、（ｃ）は（ａ）の上面図である。
【図７】中間部接合金物を説明する、（ａ）は正面図、（ｂ）は（ａ）の右側面図、（ｃ）は（ａ）の下面図である。
【発明を実施するための形態】
【００１３】
本発明の好ましい一実施形態に係る耐震補強壁の施工方法は、平成１０年度に導入された新しい耐震基準以前の、旧来の耐震基準に基づいて建築された木造の軸組工法による既存の建物として、例えば軸組工法による既存の木造住宅建築物の壁３０を、図１に示すように、筋かい１１を用いて、天井材２５を残置したまま、簡易な作業により効率良く耐震補強して、新しい耐震基準を満たすように効果的に耐震改修できるようにするための方法として採用されたものである。
【００１４】
すなわち、平成１０年度以前に建築された木造の軸組工法による既存の建物は、壁の骨組み構造を構成する、矩形枠２０の左右一対の柱材２１ａ，２１ｂと上下一対の横架材２２ａ，２２ｂが、一般に１０５ｍｍ、１２０ｍｍ、１３５ｍｍ、又は１５０ｍｍ（本実施形態では１０５ｍｍ）の幅の角材を用いて形成されていて、矩形枠２０は、一般に１０５ｍｍ、１２０ｍｍ、１３５ｍｍ、又は１５０ｍｍ（本実施形態では１０５ｍｍ）の狭い奥行きしか有しておらず、また矩形枠２０の上部は、天井材２５の上方に形成された天井懐部２６に配置されていることから、既存の建物の壁３０を筋かい１１によって補強しようとすると、壁３０の壁面材や壁下地材の他、天井材２５をも撤去する必要を生じることになる。本実施形態の耐震補強壁の施工方法は、このような既存の建物の壁３０を、天井材２５を残置したまま、建物の屋内での簡易な作業によって、筋かい１１を取り付けることを可能にして、効果的に耐震改修できるようにするための方法として採用されたものである。
【００１５】
そして、本実施形態の耐震補強壁の施工方法は、図１〜図３に示すように、軸組工法による既存の木造の建物の壁３０として、例えば外壁を、建物の屋内での作業により筋かい１１によって耐震改修すると共に、断熱材１８を配置して耐震補強壁１０を形成する施工方法であって、図４（ａ）〜（ｄ）に示すように、天井材２５よりも下方の部分の壁３０の表面側の壁面材及び壁下地材を撤去して、天井懐部分２６を残したまま施工されるようになっている。
【００１６】
筋かい１１は、図１に示すように、左右一対の柱材２１ａ，２１ｂと上下一対の横架材２２ａ，２２ｂとによって囲まれる、奥行きが例えば１０５ｍｍの矩形枠２０の内側領域に、一方の柱材２１ａと共にＫ字形状を形成するように取り付けられる、厚さが２４ｍｍ、又は２８ｍｍ（本実施形態では２４ｍｍ）の合板からなる上部筋かい１２及び下部筋かい１３の２部材によって構成されている。上部筋かい１２は、上端部１２ａが、上部接合金物１４を介して他方の柱材２１ｂと上部横架材２２ａとの接合角部の内側部分に接合されると共に、下端部１２ｂが、中間部接合金物１５を介して一方の柱材２１ａの中間部の内側部分に接合されて、矩形枠２０の内側領域に取り付けられるようになっている。下部筋かい１３は、下端部１３ａが、下部接合金物１６を介して他方の柱材２１ｂと下部横架材２２ｂとの接合角部の内側部分に接合されると共に、上端部１３ｂが、中間部接合金物１５を介して一方の柱材２１ａの中間部の内側部分に接合されて、矩形枠２０の内側に取り付けられるようになっている。
【００１７】
上部接合金物１４、中間部接合金物１５、及び下部接合金物１６は、各々、図６（ａ）〜（ｃ）及び図７（ａ）〜（ｃ）に示すように、矩形枠２０に接合される、複数のビス打込み孔１４ｃ，１５ｃ，１６ｃを備える矩形枠側密着プレート部１４ａ，１５ａ，１６ａと、これらの矩形枠側密着プレート部から垂直に折れ曲がって設けられた、複数のビス打込み孔１４ｃ，１５ｃ，１６ｃを備える筋かい側密着プレート部１４ｂ，１５ｂ，１６ｂとかなる、Ｌ字断面形状部分を有している。
【００１８】
本実施形態の耐震補強壁の施工方法は、図４（ａ）〜（ｄ）に示すように、上部接合金物１４を、筋かい側密着プレート部１４ｂを上部筋かい１２の表面側に密着させて配置した状態で、上部筋かい１２の上端部１２ａに取り付け、上部筋かい１２の上部接合金物１４が取り付けられた上端部１２ａを天井懐部２６に差し込んで、当該上端部１２ａを、上部接合金物１４を介して他方の柱材２１ｂと上部横架材２２ａとの接合角部の内側部分に位置決めすると共に、下端部１２ｂを、一方の柱材２１ｂの中間部の内側部分に位置決めして（図４（ａ）、図４（ｂ）参照）、上部接合金物１４の上部筋かい１２から裏側に食み出した部分の矩形枠側密着プレート部１４ａに形成された複数のビス打込み孔１４ｃ（図６（ｂ）、（ｃ）参照）に、固定ビス（図示せず）を打込むことによって、上部筋かい１２を矩形枠２０の内側領域において壁３０の表面側に片寄せて設置する上部筋かい設置工程と、下部接合金物１６を、筋かい側密着プレート部１６ｂを下部筋かい１３の表面側に密着させて配置した状態で、下部筋かい１３の下端部１３ａに取り付け、下部筋かい１３の下部接合金物１６が取り付けられた下端部１３ａを、下部接合金物１６を介して他方の柱材２１ｂと下部横架材２２ｂとの接合角部の内側部分に位置決めすると共に、上端部１３ｂを、一方の柱材２１ａの中間部の内側部分に位置決めして（図４（ｃ）参照）、下部接合金物１６の下部筋かい１３から裏側に食み出した部分の矩形枠側密着プレート部１６ａに形成された複数のビス打込み孔１６ｃ（図６（ｂ）、（ｃ）参照）に、固定ビス（図示せず）を打込むことによって、下部筋かい１３を矩形枠２０の内側領域において壁３０の表面側に片寄せて設置する下部筋かい設置工程と、上部筋かい１２の下端部１２ｂ及び下部筋かい１３の上端部１３ｂが位置決めされた、一方の柱材２１ａの中間部の内側部分に、中間部接合金物１５を、壁３０の表面側から、矩形枠側密着プレート部１５ａを一方の柱材２１ａの内側面に沿って差し込んで密着させると共に、筋かい側密着プレート部１５ｂを上部筋かい１２の下端部１２ｂ及び下部筋かい１３の上端部１３ｂの表面側に密着させた状態で配置し（図４（ｃ）参照）、配置した中間部接合金物１５の、上部筋かい１２及び下部筋かい１３から裏側に食み出した部分の矩形枠側密着プレート部１５に形成された複数のビス打込み孔１５（図７（ｂ）参照）に、固定ビス（図示せず）を打込むと共に、筋かい側密着プレート部１５ｂに形成された複数のビス打込み孔１５ｃ（図７（ａ）参照）に、固定ビス（図示せず）を打込むことによって、中間部接合金物１５を介して、上部筋かい１２の下端部１２ｂ及び下部筋かい１３の上端部１３ｂを、一方の柱材２１ａの中間部の内側部分に接合する中間部接合工程と、設置された上部筋かい１２及び下部筋かい１３と、壁３０の裏面側の壁下地材３１（図２、図３参照）との間の部分に、断熱材１８を差し込んで設置する断熱材設置工程と、壁面材及び壁下地材が撤去された壁３０の表面側を覆って、矩形枠２０に表面側の壁下地材１７を取り付ける壁下地材設置工程とを含んで構成されている。
【００１９】
また、本実施形態の耐震補強壁の施工方法は、好ましくは断熱材設置工程に先立って、壁３０の裏面側に残された壁下地材３１の表面側の面に、断熱材１８の裏側に通気層３２（図２、図３参照）を確保するためのスペーサ部材１９を取り付けるスペーサ取付け工程を含んで構成されている。
【００２０】
さらに、本実施形態では、既存の壁３０の矩形枠２０の内側領域の中間部分に間柱２３が設けられており、上部筋かい１２及び下部筋かい１３と交差する部分の間柱２３の表面側を切り欠き部分２３ａ（図１参照）として切り欠き、上述の上部筋かい設置工程及び下部筋かい設置工程において、上部筋かい１２及び下部筋かい１３を、間柱２３と交差する部分を切り欠き部分１３ａに重ねて配置して、矩形枠２０の内側領域において壁３０の表面側に片寄せて設置するようになっている。
【００２１】
ここで、本発明の施工方法では、壁３０を構成する表裏一対の壁面のうち、一方の壁面の壁面材及び壁下地材のみを撤去して、他方の壁面の壁面材及び壁下地材を撤去することなく残置したまま施工することができる。本発明では、壁面材及び壁下地材を撤去して筋かい１１の取り付け作業が行われる側の一方の壁面が、表面側の壁面であり、壁面材及び壁下地材が撤去されることなく残置されたままとなる側の他方の壁面が、裏面側の壁面である。例えば耐震改修される壁３０が外壁である場合、筋かい１１の取り付け作業は屋内での作業になるため、屋内側の壁面が表面側の壁面となり、屋外側の壁面が裏面側の壁面となる。
【００２２】
本実施形態では、図１、図２、及び図４に示すように、既存の木造住宅建築物における、上部横架材２２ａの上面に敷設された上階の床スラブ（図示せず）と、上部横架材２２ａから吊木や野縁等（図示せず）を介して支持されることで設けられた天井材２５との間に、天井懐部分２６が形成されている。筋かい１１の上部筋かい１２の上端部１２ａは、この天井懐部分２６において、上部接合金物１４を介して他方の柱材２１ｂと上部横架材２２ａとの接合角部の内側部分に接合されるようになっているが、本実施形態の施工方法では、天井材２５よりも下方の部分の、壁３０の表面側の壁面材及び壁下地材のみを撤去して、天井懐部分２６を残したまま施工できるようになっている。
【００２３】
また、本実施形態では、壁３０の骨組み構造を構成する矩形枠２０は、左右一対の柱材２１ａ，２１ｂと、上下一対の横架材２１ａ，２１ｂとによって形成されており、これらの柱材２１ａ，２１ｂや横架材２１ａ，２１ｂとして、幅が１０５ｍｍの角材が用いられている。このため、矩形枠２０は、１０５ｍｍの狭い奥行きしか有していないが、本実施形態の施工方法では、このような狭い奥行きの矩形枠２０の内側領域に、筋かい１１や断熱材１８を設置することを可能にして、壁３０を効果的に耐震改修できるようになっている。
【００２４】
本実施形態では、筋かい１１は、矩形枠２０の内側領域に、一方の柱材２１ａと共にＫ字形状を形成するように取り付けられる、上部筋かい１２及び下部筋かい１３の２部材によって構成されている。上部筋かい１２及び下部筋かい１３は、図５（ａ）、（ｂ）にも示すように、例えば厚さが２４ｍｍの合板からなり、従来から筋かい用の材料として一般に用いられていた、例えば厚さが４５ｍｍの角材よりも、薄い厚さのものとなっている。これによって、筋かい１１の裏側における、裏面側の壁下地材３１との間に、断熱材１８を取り付けたり、通気層３２を保持するのに十分な厚さのスペースを、確保することができるようになっている。
【００２５】
また、上部筋かい１２及び下部筋かい１３は、好ましくは１０５〜３０５ｍｍの幅を有する帯板形状の合板から形成されており、従来の筋かいよりも、大きな幅を備えている。これによって、従来の筋かいよりも薄くなっている分の強度を、効果的に補うことができるようになっている。上部筋かい１２及び下部筋かい１３は、他方の柱材２１ｂと上部横架材２２ａとの接合角部の内側部分や、一方の柱材２１ｂの中間部の内側部分や、他方の柱材２１ｂと下部横架材２２ｂとの接合角部の内側部分に沿って、容易に位置決めできるように、その上端部１２ａ、１３ｂ及び下端部１３ｂ、１２ａが、適宜切り欠かれた状態で形成されている。上部筋かい１２及び下部筋かい１３は、上部接合金物１４や中間部接合金物１５や下部接合金物１６を介して、矩形枠２０の内側領域に強固に且つ安定した状態で取り付けられる。
【００２６】
上部接合金物１４、下部接合金物１６、及び中間部接合金物１５は、例えば２．３ｍｍ程度の厚さの鋼板に、折曲げ加工や孔開け加工等を施すことによって形成されている。上部接合金物１４及び下部接合金物１６は、同様の形状を有している。上部接合金物１４及び下部接合金物１６は、図６（ａ）〜（ｃ）に示すように、例えば一辺が１８０ｍｍ程度の大きさの正方形状の筋かい側密着プレート部１４ｂ，１６ｂと、該筋かい側密着プレート部１４ｂ，１６ｂの一箇所の角部分を挟んだ一対の辺部から各々垂直に折れ曲がって設けられた、例えば４８ｍｍ程度の幅を有する一対の矩形枠側密着プレート部１４ａ，１６ａとを含んで形成されている。筋かい側密着プレート部１４ｂ，１６ｂには、複数のビス打込み孔１４ｃ，１６ｃが、分散配置されて設けられている。一対の矩形枠側密着プレート部１４ａ，１６ａには、各々、複数のビス打込み孔１４ｃ，１６ｃが設けられている。矩形枠側密着プレート部１４ａ，１６ａの複数のビス打込み孔１４ｃ，１６ｃは、上部接合金物１４や下部接合金物１６が上部筋かい１２や下部筋かい１３に取り付けられた際に、これらの裏側に食み出した部分となる、筋かい側密着プレート部１４ｂ，１６ｂから上部筋かい１２や下部筋かい１３の厚さ（２４ｍｍ）以上離れた領域に、設けられている。
【００２７】
中間部接合金物１５は、図７（ａ）〜（ｃ）に示すように、例えば縦幅が３４０ｍｍ程度、横幅が１１０ｍｍ程度の大きさの略矩形形状の筋かい側密着プレート部１５ｂと、筋かい側密着プレート部１５ｂの一方の縦辺部から垂直に折れ曲がって設けられた、例えば４８ｍｍ程度の横幅を有する矩形枠側密着プレート部１５ａとを含んで形成されている。筋かい側密着プレート部１５ｂには、複数のビス打込み孔１５ｃが、分散配置されて設けられている。矩形枠側密着プレート部１５ａには、複数のビス打込み孔１５ｃが設けられている。矩形枠側密着プレート部１５ａの複数のビス打込み孔１５ｃは、中間部接合金物１５が上部筋かい１２及び下部筋かい１３に取り付けられた際に、これらの裏側に食み出した部分となる、筋かい側密着プレート部１５ｂから上部筋かい１２や下部筋かい１３の厚さ（２４ｍｍ）以上離れた領域に、設けられている。
【００２８】
本実施形態の耐震補強壁の施工方法における上部筋かい設置工程では、図４（ａ）、図４（ｂ）に示すように、上部筋かい１２の上端部１２ａに、上部接合金物１４を、筋かい側密着プレート部１４ｂのビス打込み孔１４ｃに固定ビスを打ち込むことによって、筋かい側密着プレート部１４ｂを上部筋かい１２の表面側に密着させた状態で取り付ける。しかる後に、上部筋かい１２の上部接合金物１４が取り付けられた上端部１２ａを、天井懐部２６に差し込んで、当該上端部１２ａを、上部接合金物１４を介して他方の柱材２１ｂと上部横架材２２ａとの接合角部の内側部分に当接させると共に、下端部１２ｂを、一方の柱材２１ｂの中間部の内側部分に当接させて、上部筋かい１２を矩形枠２０の内側領域における壁３０の表面側に片寄せた状態で位置決めする。さらに、壁３０の表面側に片寄せた状態で位置決めされた上部筋かい１２の、上端部１２ａに取り付けられた上部接合金物１４の矩形枠側密着プレート部１４ａにおける、上部筋かい１２の裏側に食み出した部分に設けられたビス打込み孔１４ｃに、固定ビスを打ち込むことによって、上部筋かい１２を矩形枠２０の内側領域に仮固定する。
【００２９】
ここで、本実施形態では、上部接合金物１４の矩形枠側密着プレート部１４ａに設けられたビス打込み孔１４ｃに固定ビスを打ち込む作業は、天井懐部２６における、例えば厚さが２４ｍｍの上部筋かい１２の裏側の、裏面側の壁下地材３１との間の例えば幅が８１ｍｍの狭い空間での作業になるが、例えばＬ型ビットや長ビットを使用したビス打込み装置を用いることによって、このような幅の狭い空間において、他方の柱材２１ｂと上部横架材２２ａとの接合角部の内側部分に向けて固定ビスを打ち込む作業を、容易に行うことが可能になる。
【００３０】
また、矩形枠２０の内側領域の中間部分に間柱２３が設けられている場合には、上述のように、上部筋かい１２と交差する部分の間柱２３の表面側に、切り欠き部分１３ａ（図１参照）を形成しておくことにより、上部筋かい１２の間柱２３と交差する部分を切り欠き部分１３ａに重ねて配置することによって、上部筋かい１２を容易に位置決めして仮固定することが可能になる。
【００３１】
本実施形態の耐震補強壁の施工方法における下部筋かい設置工程では、図４（ｃ）に示すように、下部筋かい１３の下端部１３ａに、上部接合金物１６を、筋かい側密着プレート部１６ｂのビス打込み孔１６ｃに固定ビスを打ち込むことによって、筋かい側密着プレート部１６ｂを下部筋かい１３の表面側に密着させた状態で取り付ける。しかる後に、下部筋かい１３の下部接合金物１６が取り付けられた下端部１３ａを、下部接合金物１６を介して他方の柱材２１ｂと下部横架材２２ｂとの接合角部の内側部分に当接させると共に、上端部１３ｂを、一方の柱材２１ｂの中間部の内側部分に当接させて、下部筋かい１３を矩形枠２０の内側領域における壁３０の表面側に片寄せた状態で位置決めする。さらに、壁３０の表面側に片寄せた状態で位置決めされた下部筋かい１３の、下端部１３ａに取り付けられた下部接合金物１６の矩形枠側密着プレート部１６ａにおける、下部筋かい１３の裏側に食み出した部分に設けられたビス打込み孔１６ｃに、固定ビスを打ち込むことによって、下部筋かい１３を矩形枠２０の内側領域に仮固定する。
【００３２】
ここで、本実施形態では、上部接合金物１４の矩形枠側密着プレート部１４ａに設けられたビス打込み孔１４ｃに固定ビスを打ち込む作業は、例えば厚さが２４ｍｍの下部筋かい１３の裏側の、裏面側の壁下地材３１との間の例えば幅が８１ｍｍの狭い空間での作業になるが、例えばＬ型ビットや長ビットを使用したビス打込み装置を用いることによって、このような幅の狭い空間において、他方の柱材２１ｂと下部横架材２２ｂとの接合角部の内側部分に向けて固定ビスを打ち込む作業を、容易に行うことが可能になる。
【００３３】
また、矩形枠２０の内側領域の中間部分に間柱２３が設けられている場合には、上部筋かい１２と同様に、下部筋かい１３と交差する部分の間柱２３の表面側に、切り欠き部分１３ａ（図１参照）を形成しておくことにより、下部筋かい１３の間柱２３と交差する部分を切り欠き部分１３ａに重ねて配置することによって、下部筋かい１３を容易に位置決めして仮固定することが可能になる。
【００３４】
本実施形態の耐震補強壁の施工方法における中間部接合工程では、図４（ｄ）に示すように、上部筋かい１２の下端部１２ｂ及び下部筋かい１３の上端部１３ｂが位置決めされた、一方の柱材２１ａの中間部の内側部分に、中間部接合金物１５を取り付ける。すなわち、壁３０の表面側から、矩形枠側密着プレート部１５ａを一方の柱材２１ａの内側面に沿って差し込んで密着させると共に、筋かい側密着プレート部１５ｂを上部筋かい１２の下端部１２ｂ及び下部筋かい１３の上端部１３ｂの表面側に密着させた状態で配置して、中間部接合金物１５を位置決めする。しかる後に、位置決めした中間部接合金物１５の、上部筋かい１２及び下部筋かい１３から裏側に食み出した部分の矩形枠側密着プレート部１５に形成された複数のビス打込み孔１５に、固定ビスを打込むと共に、筋かい側密着プレート部１５ｂに形成された複数のビス打込み孔１５ｃに、固定ビスを打込むことによって、中間部接合金物１５を介して、上部筋かい１２の下端部１２ｂ及び下部筋かい１３の上端部１３ｂを、一方の柱材２１ａの中間部の内側部分に接合する。
【００３５】
ここで、本実施形態では、中間部接合金物１５の矩形枠側密着プレート部１５ａに設けられたビス打込み孔１５ｃに固定ビスを打ち込む作業は、例えば厚さが２４ｍｍの上部筋かい１２及び下部筋かい１３の裏側の、裏面側の壁下地材３１との間の例えば幅が８１ｍｍの狭い空間での作業になるが、例えばＬ型ビットや長ビットを使用したビス打込み装置を用いることによって、このような幅の狭い空間において、一方の柱材２１ａの中間部の内側部分に向けて固定ビスを打ち込む作業を、容易に行うことが可能になる。
【００３６】
本実施形態では、好ましくは断熱材設置工程に先立って、壁３０の裏面側に残された壁下地材３１の表面側の面に、断熱材１８の裏側に通気層３２（図２、図３参照）を確保するためのスペーサ部材１９を取り付けるスペーサ取付け工程が行われる。スペーサ取付け工程は、上述の上部筋かい設置工程や下部筋かい設置工程を行うのに先立って、或いはこれらの工程を行なった後に、行うことができる。スペーサ取付け工程は、例えば厚さが４ｍｍのベニヤ板からなる、５０×５０ｍｍの大きさの複数のスペーサ部材を、裏面側に残された壁下地材３１の表面側の面に、接着剤等を用いて分散配置して取り付けることによって行うことができる。
【００３７】
裏面側に残された壁下地材３１の表面側の面に、スペーサ部材１９が取り付けられることによって、後述する断熱材設置工程で設置された断熱材１８と、裏面側の壁下地材３１との間に、例えば４ｍｍ程度の間隔の通気層３２を確保することが可能になる。これによって、耐震改修される壁３０が、壁３０の表面側と裏面側で温度差が大きくなる外壁等の壁である場合に、壁３０の内側に結露が生じるのを、効果的に回避することが可能になる。
【００３８】
本実施形態の耐震補強壁の施工方法における断熱材設置工程では、図２及び図３に示すように、設置された上部筋かい１２及び下部筋かい１３と、壁３０の裏面側の壁下地材３１との間の部分に、断熱材１８を差し込んで設置する。断熱材１８は、例えば厚さが７５ｍｍのグラスウールを用いることができる。断熱材１８は、壁３０の表面側に片寄せて矩形枠２０の内側領域に設置された上部筋かい１２及び下部筋かい１３の裏側の、裏面側の壁下地材３１との間の空間に、差し込むことが可能な大きさに裁断して、順次差し込んでゆくことにより、矩形枠２０の内側領域の全体に亘って容易に取り付けることができる。
【００３９】
本実施形態の耐震補強壁の施工方法における壁下地材設置工程では、上部筋かい１２及び下部筋かい１３による筋かい１１や断熱材１８が取り付けられた壁３０の、壁面材及び壁下地材が撤去れた表面側を覆って、表面側の壁下地材１７を取り付ける。壁下地材１７は、例えば厚さが１２．５ｍｍ程度の石膏ボードを用いることができる。壁下地材１７は、天井材２５よりも下方の部分の矩形枠２０に支持させて固定することにより、天井懐部分２６を残したまま取り付け作業を行なうことができる。
【００４０】
壁３０の表面側を覆って壁下地材１７を取り付けたら、壁仕上げ用の壁面材（図示せず）を取り付けると共に、必要に応じて一部取り外した床板下地材３３や床面材３４（図２参照）を取り付け直すことによって、既存の木造住宅建築物の壁３０を耐震改修する作業を終了する。
【００４１】
これらによって、本実施形態の耐震補強壁の施工方法によれば、天井材２５を残置したまま、簡易な作業によって、１０５ｍｍ、１２０ｍｍ、１３５ｍｍ、又は１５０ｍｍ（本実施形態では１０５ｍｍ）の幅の角材を用いて形成された矩形枠の内側領域に、筋かい１１を取り付けることを可能にして、木造の軸組工法による既存の建物の壁３０を、効果的に耐震改修することが可能になる。
【００４２】
なお、本発明は上記実施形態に限定されることなく種々の変更が可能である。例えば、断熱材設置工程に先立って、断熱材の裏側に通気層を確保するためのスペーサ部材を取り付ける必要は必ずしも無く、耐震改修される既存の壁は、矩形枠の内側領域の中間部分に間柱が設けられているものである必要は必ずしも無い。
【符号の説明】
【００４３】
１０  耐震補強壁
１１  筋かい
１２  上部筋かい
１２ａ  上端部
１２ｂ  下端部
１３  下部筋かい
１３ａ  下端部
１３ｂ  上端部
１４  上部接合金物
１４ａ，１５ａ，１６ａ  矩形枠側密着プレート部
１４ｂ，１５ｂ，１６ｂ  筋かい側密着プレート部
１４ｃ，１５ｃ，１６ｃ  ビス打込み孔
１５  中間部接合金物
１６  下部接合金物
１７  表面側の壁下地材
１８  断熱材
１９  スペーサ部材
２０  矩形枠
２１ａ  一方の柱材
２１ｂ  他方の柱材
２２ａ  上部横架材
２２ｂ  下部横架材
２３  間柱
２５  天井材
２６  天井懐部分
３０  壁
３１  裏面側の壁下地材
３２  通気層
３３  床板下地材
３４  床面材
【図１】
0006532391.tif 000002
【図２】
0006532391.tif 000003
【図３】
0006532391.tif 000004
【図４】
0006532391.tif 000005
【図５】
0006532391.tif 000006
【図６】
0006532391.tif 000007
【図７】
0006532391.tif 000008